(57)【特許請求の範囲】
【請求項１】
裏面の上下左右に被連結具が設けられた型枠パネルを積み重ねる場合に使用する型枠パネル連結具であって、
一端側が所定位置に固定される支持杆の他端側に揺動可能に取り付けられた連結部の下側挿入部分を、下側の前記型枠パネルの上側の前記被連結具へ上側から挿入、嵌合させると、前記下側挿入部分の前端面が前記型枠パネルの裏面に当接し、
前記連結部の上側挿入部分を、上側の前記型枠パネルの下側の前記被連結具へ下側から挿入すると、前記上側挿入部分が前記被連結具内に遊嵌し、前記上側挿入部分の前端面と前記型枠パネルの裏面との間に所定の間隔ができる、
ことを特徴とする型枠パネル連結具。
【請求項２】
請求項１に記載の型枠パネル連結具において、
前記所定の間隔は、前記下側挿入部分の前端面の延長線よりも前記上側挿入部分の前端面が後退していることによって形成される、
ことを特徴とする型枠パネル連結具。
【請求項３】
請求項１または請求項２に記載の型枠パネル連結具において、
前記連結部の前側に、前記下側挿入部分の前端面と前記上側挿入部分の前端面とを区画し、前記上側挿入部分の前端面よりも後側へ延びる凹部を設けた、
ことを特徴とする型枠パネル連結具。
【請求項４】
請求項１から請求項３のいずれか１項に記載の型枠パネル連結具において、
前記所定の間隔を、０．５ｍｍ〜２．０ｍｍにした、
ことを特徴とする型枠パネル連結具。
【発明の詳細な説明】
【０００１】
【発明の属する技術分野】
この発明は、裏面の上下左右に被連結具が設けられた型枠パネルを左右方向へ並べ、その上に型枠パネルを積み重ね、例えば擁壁を構築する場合に使用する型枠パネル連結具に関するものである。
【０００２】
【従来の技術】
上記した型枠パネルを利用して擁壁を構築する場合、左右方向へ、例えば型枠パネルの横幅の長さの間隔で、または型枠パネルの横幅の半分の間隔で支柱を立てた基礎の、支柱の前方に、横幅の長さの１／４だけ左右両端から内側へ寄った裏面の上下の位置にフックなどの被連結具が設けられた型枠パネルを左右方向へ並べ、その上に型枠パネル連結具を使用して型枠パネルを横幅の１／２ずらして順次積み重ね、型枠パネルの裏面側に充填材を充填することにより、擁壁を構築する。
【０００３】
なお、型枠パネル連結具は、支柱に一端側が固定される支持杆と、この支持杆の他端側に揺動可能に取り付けられ、下側の型枠パネルの上側の被連結具へ上側から挿入、嵌合させる下側挿入部分、この下側挿入部分に連設され、上側の型枠パネルの下側の被連結具へ下側から挿入、嵌合させる上側挿入部分を有する板状の連結板とで構成され、下側挿入部分の前端面の延長線（または延長面）上に上側挿入部分の前端面が位置している。
【０００４】
【発明が解決しようとする課題】
従来の型枠パネル連結具は上、下側挿入部分の前端面が同一直線（または同一平面）上に位置しているので、型枠パネルを順次積み重ねる場合、最下段の型枠パネルの垂直度が確保されていなければ、順次積み重ねる型枠パネルが前側または後側へ同じ角度で傾斜する。
そこで、想定した垂直面から所定の誤差範囲内に型枠パネルの前面（壁面）を収めるためには、最下段の型枠パネルから垂直度を確保するように積み直しするか、型枠パネルを積み重ねるとき、連結板に削るなどの加工を施して型枠パネルの前面を調整する必要がある。
したがって、想定した垂直面から所定の誤差範囲内に型枠パネルの前面を収めながら型枠パネルを積み重ねるのに手間がかかり、型枠パネルの積み上重ね作業が効率よく行えないという不都合があった。
【０００５】
この発明は、上記したような不都合を解消するためになされたもので、型枠パネルを積み重ねながら型枠パネルの前面を簡単に調整、修正することができ、型枠パネルの積み重ね作業を効率よく行うことのできる型枠パネル連結具を提供するものである。
【０００６】
【課題を解決するための手段】
この発明は、裏面の上下左右に被連結具が設けられた型枠パネルを積み重ねる場合に使用する型枠パネル連結具であって、一端側が所定位置に固定される支持杆の他端側に揺動可能に取り付けられた連結部の下側挿入部分を、下側の型枠パネルの上側の被連結具へ上側から挿入、嵌合させると、下側挿入部分の前端面が型枠パネルの裏面に当接し、連結部の上側挿入部分を、上側の型枠パネルの下側の被連結具へ下側から挿入すると、上側挿入部分が被連結具内に遊嵌し、上側挿入部分の前端面と型枠パネルの裏面との間に所定の間隔ができるようにしたものである。
そして、所定の間隔を、下側挿入部分の前端面の延長線よりも上側挿入部分の前端面を後退させることによって形成し、さらに、連結部の前側に、下側挿入部分の前端面と上側挿入部分の前端面とを区画し、上側挿入部分の前端面よりも後側へ延びる凹部を設けたり、さらに、所定の間隔を、０．５ｍｍ〜２．０ｍｍにするのが望ましい。
【０００７】
【発明の実施の形態】
以下、この発明の実施形態を図に基づいて説明する。
図１（ａ），（ｂ），（ｃ）はこの発明の型枠パネル連結具で連結する壁面構築用型枠パネルの一例を示す正面図、裏面図および裏面側の斜視図である。
図１において、１は壁面構築用型枠パネルを示し、例えば高さが３００ｍｍで、幅が９００ｍｍで、厚さが３５ｍｍの長方形をした型枠パネル本体２と、この型枠パネル本体２の左右の端から横幅の１／４（２２５ｍｍ）ずつ内側へ寄った裏面の上下（下端から４５ｍｍ、上端から４５ｍｍ）に、Ｕ字形、Ｖ字形などの上下方向に開放させて突設された４つの被連結具としてのフック３とで構成されている。
なお、型枠パネル本体２はコンクリートで構成され、各フック３は、型枠パネル本体２に埋設された２本の鉄筋の一部を突出させて形成されている。
【０００８】
図２は最下段の壁面構築用型枠パネルの下側のフックおよび最上段の壁面構築用型枠パネルの上側のフックを固定させる固定具を示す斜視図である。
図２において、１１は固定具を示し、挿入部分１２ｄが壁面構築用型枠パネル１の下側または上側のフック３内へ挿入、嵌合させられる金属製の固定板１２と、一端側が後述する支柱アングル４１の所定位置に固定され、他端側に固定板１２の上側が揺動（回動）可能に取り付けられた支持杆としてのセパレータ１３とで構成されている。
【０００９】
図３（ａ），（ｂ）はこの発明の一実施形態である型枠パネル連結具を示す斜視図、図３（ａ）に示した連結板の拡大側面図である。
図３において、２１は型枠パネル連結具を示し、下側挿入部分２２ｄが下側に位置する壁面構築用型枠パネル１の上側のフック３内へ挿入、嵌合させられ、上側挿入部分２２ｕが上側に位置する壁面構築用型枠パネル１の下側のフック３内へ遊嵌状態に挿入される連結部としての金属製の連結板２２と、一端側が後述する支柱アングル４１の所定位置に固定され、他端側に連結板２２の上下方向の中心が揺動（回動）可能に取り付けられた支持杆としての金属製のセパレータ２３とで構成されている。
【００１０】
なお、図３（ｂ）に示すように、下側挿入部分２２ｄの前端面の延長線Ｌfよりも上側挿入部分２２ｕの前端面を、例えば０．５ｍｍ〜２．０ｍｍ後退させることにより、上側挿入部分２２ｕを壁面構築用型枠パネル１の下側のフック３内に遊嵌させ、上側挿入部分２２ｕと壁面構築用型枠パネル１との間、上側挿入部分２２ｕとフック３との間に合計で０．５ｍｍ〜２．０ｍｍの間隔ｄができるようにしてある。
そして、下側挿入部分２２ｄのフック３が当接する部分は楔状とされ、上側挿入部分２２ｕのフック３が当接する部分は、前端面と後端面とが平行になっている。
また、連結板２２の前側に、下側挿入部分２２ｄの前端面と上側挿入部分２２ｕの前端面とを区画する、上側挿入部分２２ｕの前端面よりも後側へ延びた凹部２２ｃが設けられている。
【００１１】
図４は図２および図３に示した固定具、型枠パネル連結具を使用して構築した擁壁の側面図、図５は図４に示した擁壁の正面図、図６は図４に示した擁壁の平面図である。
これらの図において、３１はコンクリートを打設して形成した基礎、４１は基礎３１に金属製のアングルの下端を埋め込んで立てた支柱アングルを示し、この支柱アングル４１は、壁面構築用型枠パネル１の横幅方向の半分の間隔、すなわち４５０ｍｍの間隔で立ててある。
５１は壁面構築用型枠パネル１の合わせ目の裏側をシールするシール材を示し、コンクリートなどが表側へ流出したり、表側から雨水などが浸入するのを防ぐものである。
６１は充填材、７１は埋め戻し材を示す。
【００１２】
次に、壁面構築用型枠パネル１を立て並べ、擁壁を構築する場合について説明する。
まず、擁壁を構築する幅に基礎３１を打設し、この基礎３１に支柱アングル４１を４５０ｍｍの間隔で立てる。
次に、壁面構築用型枠パネル１を横長にした下側の各フック３内へ固定具１１の挿入部分１２ｄを嵌め込むとともに、上側の各フック３内へ型枠パネル連結具２１の下側挿入部分１２ｄを嵌め込み、各部分１２ｄ，２２ｄの前端面を壁面構築用型枠パネル１の裏面に当接させる。
【００１３】
そして、壁面構築用型枠パネル１を支柱アングル４１から、例えば３００ｍｍ離れた前方に直立させるとともに、セパレータ１３，２３を壁面構築用型枠パネル１に対して垂直となる状態にしてセパレータ１３，２３の端、すなわち固定具１１および型枠パネル連結具２１の他端側を支柱アングル４１に溶接して固定する。
この作業を水平方向（横方向）へ順次行うことにより、図４〜図６に示すように、１段目の壁面構築用型枠パネル１を横に並べることができる。
【００１４】
次に、２段目の壁面構築用型枠パネル１を１段目の壁面構築用型枠パネル１に対して横幅の１／２ずつずらし、連結板２２の上側挿入部分２２ｕを２段目の壁面構築用型枠パネル１の裏面へ摺接させながら２段目の下側の各フック３内へ挿入する。
この作業を水平方向へ順次行った後、２段目の各壁面構築用型枠パネル１の上側の各フック３内へ連結板２２の下側挿入部分２２ｄを嵌め込み、下側挿入部分２２ｄの前端面を壁面構築用型枠パネル１の裏面に当接させる。
そして、後述するように、２段目の各壁面構築用型枠パネル１の傾きを調整して各型枠パネル連結具２１の他端側を支柱アングル４１に溶接して固定することにより、図４〜図６に示すように、２段目の壁面構築用型枠パネル１を積み重ねて横に並べることができる。
【００１５】
この２段目の壁面構築用型枠パネル１を積み重ねる作業を、壁面構築用型枠パネル１の裏面側から足場を使用せずに可能な範囲で、例えば４段目の壁面構築用型枠パネル１を積み重ねるまで行い、壁面構築用型枠パネル１の合わせ目の裏側をシール材５１でシールした後、図４に二点鎖線で示すように、例えばコンクリート（充填材６１）を壁面構築用型枠パネル１の裏面側に充填して硬化させることにより、立て並べた壁面構築用型枠パネル１と固化したコンクリートとを一体化させる。
このように壁面構築用型枠パネル１の裏面側にコンクリート（充填材６１）を充填すると、上側挿入部分２２ｕがフック３内で遊嵌している壁面構築用型枠パネル１の下側はコンクリート（充填材６１）で押され、上側挿入部分２２ｕの後端面にフック３が当接することにより、擁壁の前面（壁面）が形成される。
【００１６】
以後は、例えば図４に示すように、壁面構築用型枠パネル１を３段積み重ね、シール材５１でシールした後にコンクリート（充填材６１）を充填する作業を順次行うことにより、擁壁を構築することができる。
なお、最上段の各壁面構築用型枠パネル１の上側の各フック３は、１段目の下側の各フック３と同様に、固定具１１を使用して固定する。
また、１段目の壁面構築用型枠パネル１の前面は、図４に示すように、適当な時期に所定の埋め戻し材７１で埋め戻す。
【００１７】
図７は壁面構築用型枠パネルの傾きを調整するための説明図である。
図７において、上、下挿入部分２２ｕ，２２ｄの前端面の上下方向の長さは５０ｍｍで、各前端面の上下方向の中心にフック３を位置させるので、長さａは２５ｍｍになる。
したがって、壁面構築用型枠パネル１の高さが３００ｍｍで、フック３が上、下端から４５ｍｍの位置に設けられているので、長さｂは２５５ｍｍになる。
なお、Ｈは、下側の壁面構築用型枠パネル１の裏面の延長線を示す。
【００１８】
次に、壁面構築用型枠パネルの上端の前後への移動範囲について説明する。
前述したように、長さａは２５ｍｍで、長さｂは２５５ｍｍであり、間隔ｄを０．５ｍｍとすると、壁面構築用型枠パネル１は下側のフック３を支点として前後に揺動できるため、壁面構築用型枠パネル１の上端の前方または後方への移動範囲ｃ〔ｃ＝（ｂ／ａ）×ｄ＝（２５５／２５）×０．５＝５．１（ｍｍ）〕は、５．１ｍｍとなり、壁面構築用型枠パネル１の上端の前後への最大移動範囲は１０．２ｍｍとなる。
そして、間隔ｄを１．０ｍｍにすると、壁面構築用型枠パネル１の上端の前後への移動範囲は最大２０．４ｍｍとなり、また、間隔ｄを１．５ｍｍにすると、壁面構築用型枠パネル１の上端の前後への移動範囲は最大３０．６ｍｍとなり、また、間隔ｄを２．０ｍｍにすると、壁面構築用型枠パネル１の上端の前後への移動範囲は最大４０．８ｍｍとなる。
【００１９】
したがって、下側の壁面構築用型枠パネル１の前面（壁面）が前後にずれていても、前述した範囲で上側の壁面構築用型枠パネル１の上端を移動させることができるので、壁面構築用型枠パネル１を積み重ねながら壁面構築用型枠パネル１の前面を簡単に調整、修正し、想定した垂直面（壁面）へ戻すことができ、壁面構築用型枠パネル１の積み重ね作業を効率よく行うことができる。
そして、間隔ｄを、下側挿入部分２２ｄの前端面の延長線Ｌfよりも上側挿入部分２２ｕの前端面を後退させることによって形成したので、壁面構築用型枠パネル１は下側の上側挿入部分２２ｕの後端面を中心にして回動するため、想定した壁面よりも壁面構築用型枠パネル１が突出しなくなり、仕上がった状態の壁面における凹凸が小さくなり、綺麗な壁面となる。
【００２０】
さらに、連結部２２の前側に、下側挿入部分２２ｄの前端面と上側挿入部分２２ｕの前端面とを区画し、上側挿入部分２２ｕの前端面よりも後側へ延びる凹部２２ｃを設けたので、壁面構築用型枠パネル１の上端を前方へさらに移動させることができ、移動範囲を広くすることができるとともに、この凹部２２ｃを利用することにより、目地をカバーするように、シール材５１を確実に取り付けることができる。
【００２１】
図８はこの発明の他の実施形態である型枠パネル連結具を構成する連結板の拡大側面図であり、図１から図７と同一または相当部分に同一符号を付して説明を省略する。
図８において、２１Ａは型枠パネル連結具を示し、下側挿入部分２２ｄが下側に位置する壁面構築用型枠パネル１の上側のフック３内へ挿入、嵌合させられ、上側挿入部分２２ｕが上側に位置する壁面構築用型枠パネル１の下側のフック３内へ遊嵌状態に挿入される連結部としての金属製の連結板２２Ａと、セパレータ２３とで構成されている。
【００２２】
なお、下側挿入部分２２ｄの後端面の延長線Ｌbよりも上側挿入部分２２ｕの後端面を、例えば０．５ｍｍ〜２．０ｍｍ前進させることにより、上側挿入部分２２ｕを壁面構築用型枠パネル１の下側のフック３内に遊嵌させ、上側挿入部分２２ｕと壁面構築用型枠パネル１との間、上側挿入部分２２ｕとフック３との間に合計で０．５ｍｍ〜２．０ｍｍの間隔ｄができるようにしてある。
そして、下側挿入部分２２ｄの前端面の延長線Ｌf上に上側挿入部分２２ｕの前端面が位置している。
【００２３】
この型枠パネル連結具２１Ａを使用して擁壁を構築しても、先の型枠パネル連結具２１と同様な効果を得ることができる。
しかし、上側挿入部分２２ｕの後端面を、下側挿入部分２２ｄの後端面の延長線Ｌbよりも前進させることにより、間隔ｄを設けているので、型枠パネル連結具２１と比較して壁面構築用型枠パネル１の下側が前方へ突出する点に留意する必要がある。
【００２４】
なお、上記した実施形態では、間隔ｄを０．５ｍｍ〜２．０ｍｍとして説明したが、間隔ｄが大きければ、壁面構築用型枠パネル１の下側が想定した壁面よりも大きく突出したり、凹んだりするので、間隔ｄを０．５ｍｍ〜１．０ｍｍとし、さらに好ましくは間隔ｄを０．５ｍｍとして壁面構築用型枠パネル１の下側が想定した壁面から突出したり、凹んだりする量を小さくするのが望ましい。
【００２５】
【発明の効果】
以上のように、この発明によれば、上側挿入部分を型枠パネルの下側の被連結具内に所定の間隔を確保して遊嵌させたので、下側の型枠パネルの前面（壁面）が前後にずれていても、上側の型枠パネルの上端を前後へ移動させる、型枠パネルを積み重ねながら型枠パネルの前面を簡単に調整、修正することができ、型枠パネルの積み上げ作業を効率よく行うことができる。
そして、間隔を、下側挿入部分の前端面の延長線よりも上側挿入部分の前端面を後退させることによって形成したので、型枠パネルは下側の上側挿入部分の後端面を中心にして回動するため、想定した壁面よりも型枠パネルが突出しなくなり、仕上がった状態の壁面における凹凸が小さくなり、綺麗な壁面となる。
【００２６】
さらに、連結部の前側に、下側挿入部分の前端面と上側挿入部分の前端面とを区画し、上側挿入部分の前端面よりも後側へ延びる凹部を設けたので、型枠パネルの上端を前方へさらに移動させることができ、移動範囲を広くすることができるとともに、この凹部を利用することにより、目地をカバーするように、シール材を確実に取り付けることができる。
また、間隔を０．５ｍｍ〜２．０ｍｍにしたので、想定した壁面よりも型枠パネルが突出しなくなり、仕上がった状態の壁面における凹凸が小さくなり、綺麗な壁面となる。
【図面の簡単な説明】
【図１】（ａ），（ｂ），（ｃ）はこの発明の型枠パネル連結具で連結する面構築用型枠パネルの一例を示す正面図、裏面図および裏面側の斜視図である。
【図２】最下段の壁面構築用型枠パネルの下側のフックおよび最上段の壁面構築用型枠パネルの上側のフックを固定させる固定具を示す斜視図である。
【図３】（ａ），（ｂ）はこの発明の一実施形態である型枠パネル連結具を示す斜視図、図３（ａ）に示した連結板の拡大側面図である。
【図４】図２および図３に示した固定具、型枠パネル連結具を使用して構築した擁壁の側面図である。
【図５】図４に示した擁壁の正面図である。
【図６】図４に示した擁壁の平面図である。
【図７】壁面構築用型枠パネルの傾きを調整するための説明図である。
【図８】この発明の他の実施形態である型枠パネル連結具を構成する連結板の拡大側面図である。
【符号の説明】
１            壁面構築用型枠パネル
２            型枠パネル本体
３            フック（被連結具）
１１          固定具
１２          固定板
１２ｄ        挿入部分
１３          セパレータ（支持杆）
２１，２１Ａ  型枠パネル連結具
２２，２２Ａ  連結板（連結部）
２２ｄ        下側挿入部分
２２ｕ        上側挿入部分
２２ｃ        凹部
２３          セパレータ（支持杆）
３１          基礎
４１          支柱アングル（支柱）
５１          シール材
６１          充填材
７１          埋め戻し材
Ｌf，Ｌb      延長線
ｄ            間隔
Ｈ            延長線
【図１】
0003689324.tif 000002
【図２】
0003689324.tif 000003
【図３】
0003689324.tif 000004
【図４】
0003689324.tif 000005
【図５】
0003689324.tif 000006
【図６】
0003689324.tif 000007
【図７】
0003689324.tif 000008
【図８】
0003689324.tif 000009